(57)【特許請求の範囲】
【請求項１】
当該光ディスク記録装置によって記録された信号を再生するに際して、マルチパルスによって変調されていないレーザ光を使用し、かつ、再生信号の出力振幅が最大となる線速度の２倍以上の線速度で信号を相変化光ディスクに記録するように構成したことを特徴とする光ディスク記録装置。
【請求項２】
再生時に、ＰＲ（１，１，１）ＭＬ復号化方式で復号化することを前提に、マルチパルスによって変調されていないレーザ光を使用し、かつ、ＲＬＬ（１，７）符号化方式で符号化した信号を１５ｍ／ｓの線速度で相変化光ディスクに記録するように構成したことを特徴とする光ディスク記録装置。
【発明の詳細な説明】
【０００１】
【発明の属する技術分野】
本発明は、マルチパルス変調回路を不要にした光ディスク記録装置に関する。
【０００２】
【従来の技術】
相変化光ディスクは、GeSbTeまたはAgInSbTe記録膜を有し、１００ns以下のレーザを照射することで、アモルファス状態と結晶状態との間で可逆的に相変化を起こさせ、書換え可能の記録を行うことができる。
【０００３】
この種の光ディスクを用いて記録を行うには、レーザ照射によってマークを形成することで行うが、レーザ光による直接記録を行うと、特に、長いマークにおいて蓄熱現象によりその形状が涙状に歪む。これを解消するために、マルチパルスによって変調されたレーザ光を使用する記録も行われている（大野ほか「相変化光ディスクによる書換え型ＤＶＤ」National Technical Report , Vol.４１,No. ６, Dec.1995参照）。
【０００４】
図１（ａ），（ｂ），（ｃ），（ｄ）は、レーザ光による直接記録の場合の、記録データ、記録レーザ波形、マーク形状、および孤立波再生信号波形をそれぞれ示している。
この直接記録の場合には、図１（ｃ）および（ｄ）に示すように、マーク形状および孤立波再生信号波形が涙状に歪んでいる。
【０００５】
また、図２（ａ），（ｂ），（ｃ），（ｄ）は、マルチパルスによって変調されたレーザ光を使用した場合の、記録データ、記録レーザ波形、マーク形状、および孤立波再生信号波形をそれぞれ示している。
同図に見られるように、マルチパルスによって変調されたレーザ光を使用した場合には、図２（ｃ）および（ｄ）に示すように、マークの書き終わりエッジの部分に振幅の変化が見られるものの、マーク形状および孤立波再生信号波形はともにおおむね矩形波状になっている。
【０００６】
【発明が解決しようとする課題】
しかし、マルチパルスによって変調されたレーザ光を使用して記録を行う場合には、レーザ光をマルチパルスにより変調するためのマルチパルス変調回路が、記録信号の数倍もの高速動作を必要とし、従って、そのために回路規模が大きくなるだけでなく、消費電力の点でも問題があった。
【０００７】
本発明の目的は、回路規模が大きくなり、消費電力の点でも問題のあるマルチパルス変調回路を必要としない光ディスク記録装置を提供することにある。
【０００８】
【課題を解決するための手段】
上記目的を達成するために、本発明光ディスク記録装置は、当該光ディスク記録装置によって記録された信号を再生するに際して、マルチパルスによって変調されていないレーザ光を使用し、かつ、再生信号の出力振幅が最大となる線速度の２倍以上の線速度で信号を相変化光ディスクに記録するように構成したことを特徴とするものである。
【０００９】
また、本発明光ディスク記録装置は、再生時に、ＰＲ（１，１，１）ＭＬ復号化方式で復号化することを前提に、マルチパルスによって変調されていないレーザ光を使用し、かつ、ＲＬＬ（１，７）符号化方式で符号化した信号を１５ｍ／ｓの線速度で相変化光ディスクに記録するように構成したことを特徴とするものである。
【００１０】
【発明の実施の形態】
以下に添付図面を参照し、発明の実施の形態に基づいて本発明を詳細に説明する。
本発明者らは、長いマークの記録においてマークの形状が涙状に歪むという相変化光ディスク記録における解決すべき課題を、回路規模が大きく、かつ消費電力も大きい上述したマルチパルス変調回路を必要としないで、すなわち直接記録のままで、解決することができないものかと鋭意検討し、実験を繰り返りた結果、本発明に到達し得たものである。
【００１１】
この検討において、本発明者らは、長いマークにおいてその形状が涙状に歪むのは、レーザパワーの蓄熱現象によるものであるから、マルチパルスとしない直接記録であっても、記録時のレーザ書込みを行う光学ヘッドと光ディスクの相対速度（線速度）を高くすることで達成できる筈であると考えた。また、どれだけ、線速度を高くすればよいかについては、記録レーザスポットが光ディスクの表面を走査する速度がレーザスポットから発生する熱の伝搬する速度よりも高くなれば歪まなくなるであろうとの仮説を構築した。
【００１２】
しかし、線速度を高くすることは、光ディスクの回転速度を高めることにほかならないからでき得れば低いに越したことはない。そこで、本発明者らは、以下に示す実験結果から、どこまで線速度を高めれば、長いマークの記録においてマークの形状が涙状に歪まなくなるかを割り出した。
【００１３】
図３（ａ）〜（ｅ）は、直接記録において、線速度を４ｍ／ｓから８ｍ／ｓまで１ｍ／ｓきざみで変化させたときの孤立波再生信号波形をそれぞれ示している。
図３（ａ）〜（ｅ）においては、孤立波再生信号波形は、線速度が高まるにつれて線速度８ｍ／ｓまでは、パルス状の波形の振幅は高くなるが矩形波とはならず、また、波形の形状も変わらない。
【００１４】
図４（ａ）〜（ｉ）は、直接記録において、線速度を８ｍ／ｓから１６ｍ／ｓまで１ｍ／ｓきざみで変化させたときの孤立波再生信号波形をそれぞれ示している。
図４（ａ）〜（ｉ）においては、  線速度を、線速度８ｍ／ｓからさらに高めていくと、今度は、波形の振幅値は変わらず波形が変化して好ましい矩形波に次第に近づいていく。図３および図４を通して振幅値が最も大きくなる線速度が８ｍ／ｓであり、これからさらに線速度を高め、振幅値最大時の線速度の倍、すなわち１６ｍ／ｓのときには、孤立波再生信号波形の形状は、ほぼ矩形波となり、従来のマルチパルス変調回路を具えて構成した光ディスク記録装置によって得られる孤立波再生信号波形よりもむしろ好ましい形状の孤立波再生信号波形が得られた。
【００１５】
以上の実験結果から、本発明光ディスク記録装置に使用する線速度を、再生信号の出力振幅が最大となる線速度の２倍以上の線速度と規定した。
【００１６】
また、マルチパルスによって変調されていない波長６３５ｎｍのレーザ光を使用して信号を相変化光ディスクに記録する場合に、符号化、復号化方式によっては、線速度１５ｍ／ｓであっても、実用上問題のないビット誤り率を得ることが可能であり、特に、ＲＬＬ（１，７）符号化方式およびＰＲ（１，１，１）ＭＬ復号化方式の組み合わせでは、1.E −０５程度の十分低いビット誤り率が得られることが判明した。図５に示す各種ＰＲＭＬ復号化方式についてビット誤り率を測定した結果を参照されたい。
また、より短い波長のレーザ光を使用する場合にはレーザ光のスポットサイズが小さくなるより低い線速度でも実現できる。
【００１７】
なお、ＲＬＬ（１，７）符号化方式とは、ＮＲＺＩ則で最小ランレングスが１、符号化率が２／３の符号化方式の代表例であり、変調後の符号語列において、“１”と“１”の間には必ず１個以上かつ７個以下の“０”が入るようなラン制限の規則（ＲＬＬ）を有するものである。また、ＰＲ（１，１，１）ＭＬ復号化方式とは、ＰＲ（１，１，１）方式とＭＬ（Maximum Likelihood）復号化方式とを組み合せたデジタル信号の等化および復号化方式であり、ＰＲ（１，１，１）方式とは、隣り合う３ビットに対し、それぞれ係数１を与えて相関をもたせ、符号間干渉を与える４値伝送方式をいう。
【００１８】
【発明の効果】
本発明によれば、光ディスクにディジタル信号を記録する場合に、マルチパルス変調回路を不要にすることにより、低コスト、低消費電力の光ディスク記録装置を実現することが可能となる。
【図面の簡単な説明】
【図１】  レーザ光による直接記録の場合の、記録データ、記録レーザ波形、マーク形状、および孤立波再生信号波形をそれぞれ示している。
【図２】  マルチパルスによって変調されたレーザ光を使用する場合の、記録データ、記録レーザ波形、マーク形状、および孤立波再生信号波形をそれぞれ示している。
【図３】  直接記録において、線速度を４ｍ／ｓから８ｍ／ｓまで１ｍ／ｓきざみで変化させたときの孤立波再生信号波形をそれぞれ示している。
【図４】  直接記録において、線速度を８ｍ／ｓから１６ｍ／ｓまで１ｍ／ｓきざみで変化させたときの孤立波再生信号波形をそれぞれ示している。
【図５】  各種ＰＲＭＬの復号化方式についてビット誤り率を測定した結果を示している。
【図１】
0004121245.tif 000002
【図２】
0004121245.tif 000003
【図３】
0004121245.tif 000004
【図４】
0004121245.tif 000005
【図５】
0004121245.tif 000006